(57)【要約】【課題】ハンドルの角度を容易に調節可能に構成した管理機を提供する。【解決手段】ミッション部と、同ミッション部に固定して後方へ伸延させたロータリーフレームと、前記ロータリーフレームの下方に配設した耕耘作業部とを備える管理機本体と、基端部を前記ミッション部に上下方向へ揺動自在に軸支するとともに、前記管理機本体の後部上方へ向けて伸延させたハンドルと、を備える管理機において、複数の嵌合穴を穿設して形成した位置決めプレートを前記ロータリーフレームに配設する一方、係止体を進退可能に構成したストッパ部を、前記ハンドルに、前記位置決めプレートと対向するように配設し、前記ハンドルを上下動させることにより、前記係止体を、前記嵌合穴のいずれか１つに嵌入させて、前記ハンドルを前記管理機本体に対して固定するようにした。【選択図】図５
2007244328.tif 000002
【特許請求の範囲】
【請求項１】
ミッション部と、同ミッション部に固定して後方へ伸延させたロータリーフレームと、前記ロータリーフレームの下方に配設した耕耘作業部とを備える管理機本体と、
基端部を前記ミッション部に上下方向へ揺動自在に軸支するとともに、前記管理機本体の後部上方へ向けて伸延させたハンドルと、を備える管理機において、
複数の嵌合穴を穿設して形成した位置決めプレートを前記ロータリーフレームに配設する一方、
係止体を進退可能に構成したストッパ部を、前記ハンドルに、前記位置決めプレートと対向するように配設し、
前記ハンドルを上下動させることにより、前記係止体を、前記嵌合穴のいずれか１つに嵌入させて、前記ハンドルを前記管理機本体に対して固定するようにしたことを特徴とする管理機。
【請求項２】
前記ハンドルは、第１のアームと第２のアームとを備えるとともに、
前記ストッパ部は、前記各アームの間に架設したハンドル連結ステーに配設していることを特徴とする請求項１に記載の管理機。
【発明の詳細な説明】
【技術分野】
【０００１】
本発明は、ハンドルの角度を容易に調節可能に構成した管理機に関する。
【背景技術】
【０００２】
従来より、ミッションケースの左右２カ所にハンドル固定部を備え、ボルトを締め換えることによりハンドルを高さを調節可能とした管理機が知られている（たとえば、特許文献１の図５参照）。
【０００３】
このような管理機によれば、たとえば作業者の身長等に応じてハンドルの把持位置を変更することができるので、作業効率や快適性を向上させることができる。
【特許文献１】特開平２００５-１４３４５５号公報
【発明の開示】
【発明が解決しようとする課題】
【０００４】
ところが、上記従来の管理機では、ハンドルの高さを変更するためには、ボルトを緩めて外し、ハンドルを所望の位置に移動させた後に、外したボルトを再度締め直す作業が必要であることから時間がかかり、ハンドルの高さ調整を容易に行うことができなかった。
【課題を解決するための手段】
【０００５】
そこで、本発明に係る管理機では、ミッション部と、同ミッション部に固定して後方へ伸延させたロータリーフレームと、前記ロータリーフレームの下方に配設した耕耘作業部とを備える管理機本体と、基端部を前記ミッション部に上下方向へ揺動自在に軸支するとともに、前記管理機本体の後部上方へ向けて伸延させたハンドルと、を備える管理機において、複数の嵌合穴を穿設して形成した位置決めプレートを前記ロータリーフレームに配設する一方、係止体を進退可能に構成したストッパ部を、前記ハンドルに、前記位置決めプレートと対向するように配設し、前記ハンドルを上下動させることにより、前記係止体を、前記嵌合穴のいずれか１つに嵌入させて、前記ハンドルを前記管理機本体に対して固定するようにしたことを特徴とすることとした。
【０００６】
また、前記ハンドルは、第１のアームと第２のアームとを備えるとともに、前記ストッパ部は、前記各アームの間に架設したハンドル連結ステーに配設していることにも特徴を有する。
【発明の効果】
【０００７】
請求項１記載の本発明では、複数の嵌合穴を穿設して形成した位置決めプレートをロータリーフレームに配設する一方、係止体を進退可能に構成したストッパ部を、ハンドルに、位置決めプレートと対向するように配設し、ハンドルを上下動させることにより、係止体を、嵌合穴のいずれか１つに嵌入させて、ハンドルを管理機本体に対して固定するようにしているので、ハンドルの角度を変更することができ、短時間で容易にハンドルの高さを調整することができる。また、ハンドルの揺動支点を別部材で作る必要がなく、製造コストを低減することができる。
【０００８】
請求項２記載の本発明では、ハンドルは、第１のアームと第２のアームとを備えるとともに、ストッパ部は、各アームの間に架設したハンドル連結ステーに配設しているため、ハンドルをしっかりと固定することができるとともに、管理機の意匠性を向上することができる。
【発明を実施するための最良の形態】
【０００９】
本発明に係る管理機では、ハンドルの基端部は、ミッション部に揺動自在に軸支しているので、ハンドルを固定するボルトの取り外しや取付けを必要とせずに、ハンドルの角度を変更することができ、短時間で容易にハンドルの高さを調整することができる。
【００１０】
また、ハンドルの揺動支点をミッション部に設けているので、別部材で揺動支点を作る必要がなく、製造コストを低減することができる。
【００１１】
しかも、ハンドルの揺動支点をミッション部とすることにより、機体の重心位置近傍でハンドルを支持することとなるため、操舵性に優れた管理機とすることができる。
【００１２】
このハンドルには、係止体を出入れ自在としたストッパ部を備える一方、ミッション部から耕耘作業部の上部へ伸延させたロータリーフレームには、複数の嵌合穴を穿設して形成した位置決めプレートを配設し、嵌合穴に、係止体を嵌入させて、ハンドルを管理機本体に対して固定するようにしている。
【００１３】
したがって、作業者は所望の高さにハンドルを調整した後に、容易にハンドルを所望の位置に固定することができる。また、ハンドルの位置を固定する部材を別途作成する必要がなく、製造コストを低減することができる。
【００１４】
また、このハンドルは、第１のアームと第２のアームとを備えており、同ハンドル設けた前記ストッパ部は、各アームの間に架設したハンドル連結ステーに配設している。
【００１５】
それゆえ、ストッパ部をハンドルにしっかりと固定することができるとともに、ハンドルの強度メンバーであるハンドル連結ステーにストッパ部を備えることで、ハンドル全体を確実に固定することができる。
【００１６】
すなわち、ハンドルの強度メンバーにストッパ部を設けてハンドルを固定することとしているので、第１のアームと、第２のアームとのそれぞれを固定せずとも、一つのストッパ部でハンドルをしっかりと固定することができる。
【００１７】
しかも、一つのストッパ部でハンドルを固定することができるので、第１及び第２のアームを別個に操作する必要がなく、一つのストッパ部を操作するのみで容易にハンドル高さの調整を行うことができる。
【００１８】
また、ストッパ部を複数設ける必要がないため、管理機の外観をよりシンプルなものとし、意匠性を向上することができる。
【００１９】
以下に、本発明の最良の実施形態を、図面を参照しながら説明する。
【００２０】
図１及び図２に示すＡは、本発明に係る管理機を示しており、同管理機Ａは、図１及び図２に示すように、側面視略へ字状に屈曲させて形成したミッション部２の前方位置に原動機部３を配設するとともに、ミッション部２の前側下部に走行部４を配設する一方、ミッション部２の後側下部に耕耘作業部５を配設した管理機本体１と、同管理機本体１の後部上方へ伸延させたハンドル25を備える操作部６を配設している。
【００２１】
以下に、管理機Ａの各部の構造について説明する。
〔ミッション部〕
ミッション部２は、図１及び図２に示すように、管理機Ａの下方に配設した走行部４と、耕耘作業部５との間に、側面視略へ字状に屈曲させた屈曲部を備えて架設しており、同ミッション部２は、屈曲部から前低後高の傾斜状に伸延させた走行部側ケース構成体７と、屈曲部から前高後低の傾斜状に伸延させた耕耘作業部側ケース構成体８とから構成している。
【００２２】
また、ミッション部２の屈曲部10の前側上部には、左右幅方向に向けて伸延させた入力軸11をミッション部２の左側方に向けて突出させた状態で回動自在に取付けており、次に述べる原動機部３からの動力でこの入力軸11を回動することにより、同ミッション部２の内部に設けた変速機構を介して走行部４や耕耘作業部５に動力を伝えるようにしている。
〔原動機部〕
原動機部３は、ミッション部２の前側下部に原動機載置台12を取付け、同原動機載置台12の上部に原動機13を載設し、同原動機13の上部に燃料タンク14を取付けて構成している。なお、図中、15はフロントウエイトを兼ねたバンパーである。
〔走行部〕
走行部４は、ミッション部２の走行部側ケース構成体７の下端部近傍に、左右幅方向に向けて伸延させた車軸16を回動自在に取付け、同車軸16の左右端部に車輪17を取り付けて形成している。
〔耕耘作業部〕
耕耘作業部５は、ミッション部２の耕耘作業部側ケース構成体８の後側下部に左右幅方向に向けて伸延させた耕耘軸18を回動自在に取付け、同耕耘軸18に半径方向に向けて伸延させた耕耘爪19を連動連結している。
【００２３】
また、ミッション部２の耕耘作業部側ケース構成体８の上方傾斜部分には、耕耘作業部５の上方に張り出すように、機体の後方へ向けてロータリーフレーム22を配設しており、耕耘爪19の回動軌跡20の上方を覆うように、同ロータリーフレーム22に耕耘カバー21を取付け、同耕耘カバー21の後端部に耕深調節バー29を昇降自在に取付けて構成している。図中、24は耕深調節バー29を支持するための支持ブラケットである。
〔操作部〕
操作部６は、ミッション部２の中途部に平面視で略門型状のハンドル25を前低後高の傾斜状に取付け、同ハンドル25の上端部にクラッチレバー26を配設するとともに、ハンドル25の前方に変速レバー27を前低後高の傾斜状に配設して構成している。
【００２４】
変速レバー27は、基端部をミッション部２の右側方に望ませるとともに、おなじくミッション部２の右側方に設けた変速リンク機構を介して、ミッション部２内の変速機構を操作し、作業時に走行部４や耕耘作業部５を変速可能としている。
【００２５】
〔本発明の要旨〕
上記のような構成において、本発明の要旨は、複数の嵌合穴41を穿設して形成した位置決めプレート40を前記ロータリーフレーム22に配設する一方、係止体54を進退可能に構成したストッパ部50を、前記ハンドル25に、前記位置決めプレート40と対向するように配設し、前記ハンドル25を上下動させることにより、前記係止体54を、前記嵌合穴41のいずれか１つに嵌入させて、前記ハンドル25を前記管理機本体１に対して固定するようにしたことにある。
【００２６】
換言すれば、ミッション部２に揺動自在に取付けたハンドル25を管理機本体１に対して角度を調節可能とし、また調整後にその角度を固定可能とすべく、ミッション部２より後方へ伸延させたロータリーフレーム22に、ハンドル25の角度に対応させた複数の嵌合穴41を有する位置決めプレート40を設ける一方、ハンドル25に係止体54を配設し、しかも、同係止体54は、ハンドル25の揺動とともに位置決めプレート40上を移動するように構成し、ハンドル25が所望の角度となった際に、係止体54を嵌合穴41に嵌入させてハンドル25を固定するようにしている。
【００２７】
したがって、短時間で容易にハンドル25の高さを調整することができ、作業効率や快適性を向上することができる。
【００２８】
ここで、まず、ロータリーフレーム22に配設した位置決めプレート40について説明する。
【００２９】
位置決めプレート40は、図２に示すように、ロータリーフレーム22の右側面部に配設している。このロータリーフレーム22は、ミッション部２の耕耘作業部側ケース構成体８の上方の傾斜部分にボルトで螺着して固定するとともに、管理機本体１の後方へ向けて伸延させている。
【００３０】
位置決めプレート40は、平面視矩形状の金属板の長手方向端部を、機体上方へ向けて屈曲させて側面視略コ字状に形成しており、しかも、図３に示すように長手方向中央部をやや隆起させて、後述のハンドル軸30を中心とした弧を描くように形成している。
【００３１】
また、位置決めプレート40には、平面視において長手方向に複数の嵌合穴41を穿設しており、この嵌合穴41は、ハンドル25に配設した後述するストッパ部50の係止体54が嵌入可能な大きさとしている。
【００３２】
さらに、位置決めプレート40は、両端を屈曲させて、それぞれ上側揺動規制体42と、下側揺動規制体43を形成しており、ハンドル高さを調整する際に、後述するストッパ部50がこの各揺動規制体42、43に当接することにより、ハンドル25の揺動範囲を限定するようにしている。
【００３３】
そして、この位置決めプレート40の側面をロータリーフレーム22の右側面部に固定している。
【００３４】
次に、ハンドル25及び同ハンドル25に配設したストッパ部50について説明する。
【００３５】
管理機本体１の後部上方に向けて伸延させたハンドル25は、図４に示すように、平面視略門状の形状を有しており、同ハンドル25は、管理機本体１の右側より後部上方へ伸延する第１アーム31と、管理機本体１の左側より後部上方へ伸延する第２アーム32と、前記各アーム31、32の後部末端同士を接続して、作業者が把持可能とした把持部23とを備えている。
【００３６】
また、図６に示すように、第１アーム31及び第２アーム32には、各アーム31、32が平行となるように形成した第１アーム前端部34と第２アーム前端部35とをそれぞれ備えており、同各アーム前端部34、35に左右方向へ挿通可能とした軸穴36をそれぞれ穿設し、この軸穴36に後述するハンドル軸30を挿通できるようにしている。
【００３７】
なお、図４の把持部23近傍に、符号26で示す第１アーム31と第２アーム32との上部においてアーチ状に架設した部材は、作業時に動力の伝達を切り替えるクラッチレバーであり、第１アーム31の中途部に符号28で示すのは、ディファレンシャルロックレバーやエンジンスイッチなどの操作を行う手元操作盤である。
【００３８】
また、第１アーム31と第２アーム32との中途部には、同各アーム31、32同士を結合させて、ハンドル25の強度を向上させるためのハンドル連結ステー33を架設している。
【００３９】
このハンドル連結ステー33には、前記位置決めプレート40の上面に対応する位置に略円形状の取付穴37を設け、同取付穴37にストッパ部50を配設しており、図５に示すように、このストッパ部50に備えた係止体54が位置決めプレート40に穿設した嵌合穴41に嵌入し、ハンドル25の角度を保ちつつ固定可能としている。
【００４０】
すなわち、このストッパ部50は、外筒55と、嵌合穴に嵌入する係止体54と、同係止体54を進退させる進退ハンドル51とを備えており、同進退ハンドル51と係止体54とは進退桿52で接続している。
【００４１】
さらに、進退桿52は、外筒55の内部でコイル状に形成したバネ53を挿通しており、同バネ53で係止体54を位置決めプレート40側へ付勢している。
【００４２】
なお、ここで、係止体54をコイル状のバネ53を用いて付勢しているが、特に限定されるものではなく、係止体54を位置決めプレート40側へ付勢可能であればその他の弾性体を用いても良い。
【００４３】
そして、進退ハンドル51を前記バネ53の弾性力に抗して把持部23方向へ引くことにより、係止体54も連動して嵌合穴41から外れるように構成している。
【００４４】
また、進退ハンドル51から手を離すと、バネ53の弾性力により、係止体54は位置決めプレート40側へ付勢されて、同係止体54が嵌合穴41に嵌入することとなる。
【００４５】
次に、ミッション部２に軸支したハンドル25の状態について説明する。
【００４６】
図１及び図２に示すように、ミッション部２は、前高後低に配設した耕耘作業部側ケース構成体８の上部より左右方向に向けて突設したハンドル軸30を備えている。
【００４７】
このハンドル軸30は、図６に示すように、耕耘作業部側ケース構成体８の左右方向に向けて回動自在に貫通しており、同耕耘作業部側ケース構成体８の両側に突設したハンドル軸30の端部を、第１アーム前端部34及び第２アーム前端部35にそれぞれ形成した軸穴36に挿通して、ハンドル25をミッション部２に上下方向へ揺動自在に軸支している。
【００４８】
このような構成において、本発明における管理機Ａでのハンドル25の高さ調整では、まず、作業者がストッパ部50に配設したバネ53の弾性力に抗して進退ハンドル51を引っ張ることにより、係止体54が位置決めプレート40の嵌合穴41から外れ、ハンドル25は、ハンドル軸37を中心として、位置決めプレート40の上側揺動規制体42と、下側揺動規制体43の間の角度で揺動自在な状態となる。
【００４９】
そして、作業者が所望する角度にハンドル25を変更し、進退ハンドル51から手を離すと、ストッパ部50に配設したバネ53が係止体54を位置決めプレート側に付勢して、作業者が所望する角度に対応するもっとも近い嵌合穴41に係止体54が挿入されてハンドル25が固定されることとなる。
【００５０】
したがって、作業者は、ハンドル25の高さ調整に際して、ハンドル25を螺着したボルトの取り外しなどの煩わしい作業を行う必要なく、ハンドル25の角度を調整することができ、容易に、かつ、速やかに所望する高さにハンドル25を固定することができる。
【００５１】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【図面の簡単な説明】
【００５２】
【図１】本発明に係る管理機の左側面を示した全体図である。
【図２】本発明に係る管理機の右側面を示した全体図である。
【図３】位置決めプレートを示した説明図である。
【図４】本発明に係る管理機の平面図である。
【図５】ストッパ体と位置決めプレートとを示した説明図である。
【図６】ハンドルの基端部分を示した説明図である。
【符号の説明】
【００５３】
Ａ  管理機
１  管理機本体
２  ミッション部
５  耕耘作業部
22  ロータリーフレーム
25  ハンドル
31  第１アーム
32  第２アーム
33  ハンドル連結ステー
40  位置決めプレート
41  嵌合穴
50  ストッパ部
54  係止体
【図１】
2007244328.tif 000003
【図２】
2007244328.tif 000004
【図３】
2007244328.tif 000005
【図４】
2007244328.tif 000006
【図５】
2007244328.tif 000007
【図６】
2007244328.tif 000008